(57)【要約】【課題】  線状支持体に簡単に着脱することができ、物品を吊り下げたとき線状支持体から抜け落ちることがないハンガを提供すること。【解決手段】  ハンガ１は、単一シート状素材のハンガ本体１０からなる。ハンガ本体の中央部に所定の横幅Ｃおよび深Ｄさの中央溝１１が設けられる。中央溝の両側でハンガ本体の上部に相互に逆向きに湾曲した左右フック部分１２、１３が設けられる。ハンガ本体の下部に複数の装着穴１４が設けられる。左右フック部分１２、１３が線状支持体２に滑動自在に掛止し、複数の装着穴１４に物品４が懸架される。【選択図】  図１
2005334198.tif 000002
【特許請求の範囲】
【請求項１】
単一シート状素材からハンガ本体を形成し、該ハンガ本体の中央部に所定の横幅および深さの中央溝を設け、該中央溝の両側で前記ハンガ本体の上部に相互に逆向きに湾曲した左右フック部分を設け、前記ハンガ本体の下部に複数の装着穴を設け、前記左右フック部分を線状支持体に滑動自在に掛止し、前記複数の装着穴に物品を懸架する、ハンガ。
【請求項２】
前記中央溝の深さＤおよび横幅Ｃをそれぞれ前記線状支持体の太さＧの２００−３００％および１４０−２００％に設定し、前記左右フック部分の各横幅Ｆを前記中央溝の横幅Ｃの１５０−２５０％に設定し、前記左右フック部分の開口間隔Ｂを前記線状支持体の太さＧの１１０−１３０％に設定し、前記左右フック部分の垂下長さＥを前記線状支持体の太さＧの１５０−２００％に設定した、請求項１に記載のハンガ。
【発明の詳細な説明】
【技術分野】
【０００１】
本発明は、紐、ロープ、ワイヤ、チェーン、棒等の線状支持体に家庭用品、照明器具、工具、看板等の物品を吊り下げるさいに使用するハンガに関する。
【背景技術】
【０００２】
従来、紐、ロープ、ワイヤ、チェーン、棒等の線状支持体に家庭用品（炊事器具、洗濯物、カーテン等）、照明器具、工具、看板等の物品を吊り下げるためには、物品を直接に線状支持体に取り付けるかまたは専用のハンガを用いて取り付けている。専用のハンガは、形状、寸法、機能の点で多種多様であり、使用目的に応じて各種のハンガを取り揃えなければならない。また、従来のハンガには、外れ易く、破損し易いものも多数あり、さらに、線状支持体上を簡易に滑らせることができないものもある。
【０００３】
特許文献１は、ハンガ本体と、本体上方に設けたフックと、フック自由端に回動自在に取り付けられた弧状閉塞自在片とからなるハンガを開示している。弧状閉塞自在片がフックの開口部を閉塞したとき、リング状のフック部分が形成される。このハンガは脱落を防止するように構成されているが、吊下げ対象物は、専ら衣類等に限られる。
【０００４】
特許文献２は、１対のクランプアームの一端に１対のハンドルをそれぞれ設け、弾性体によってクランプアームを常態で閉じるように付勢し、ハンドルの枢結部に吊部材を連結した構成のハンガ掛けを開示している。クランプアームが上敷居に懸架され、吊部材の角穴にハンガ等の棒体が保持される。このハンガ掛けでは、クランプアームを上敷居に容易に滑らせることはできない。
【０００５】
特許文献３は、フック本体の基部にロープ外れ止めケースの一端を回動自在に取り付け、ケース先端からばね作用により常態で突出するロッドの先端をフック本体自由端に設けた穴に着脱自在に係合させ、フック本体開口部を閉鎖する構成のフックを開示している。フック本体は慣用の形体をしており、フック本体の開口部を開閉自在に閉鎖して、ロープの外れを防止する構成に特徴がある。フックとフック吊下げ部材とは固定関係にあり、着脱自在に係合する構成ではない。
【特許文献１】特開平０８−０５２０５７号公報
【特許文献２】特開平０８−０６６２９４号公報
【特許文献３】特開平０９−０４２２６４号公報
【発明の開示】
【発明が解決しようとする課題】
【０００６】
本発明の課題は、線状支持体に簡単に着脱することができ、物品を吊り下げたとき線状支持体から抜け落ちることがないハンガを提供することにある。
【課題を解決するための手段】
【０００７】
本発明にもとづくハンガは、単一シート状素材のハンガ本体からなる。ハンガ本体の中央部に所定の横幅および深さの中央溝が設けられる。中央溝の両側でハンガ本体の上部に相互に逆向きに湾曲した左右フック部分が設けられる。ハンガ本体の下部に複数の装着穴が設けられる。左右フック部分が線状支持体に滑動自在に掛止し、複数の装着穴に物品が懸架される。
【０００８】
各左右フック部分は、ハンガ本体の平面に関して表面および裏面において互いに逆向きにそれぞれ湾曲しているが、各左右フック部分は長手方向に関して同一直線状に配置される。
【０００９】
中央溝の深さＤおよび横幅Ｃをそれぞれ線状支持体の太さＧの２００−３００％および１４０−２００％に設定し、左右フック部分の各横幅Ｆを中央溝の横幅Ｃの１５０−２５０％に設定し、左右フック部分の開口間隔Ｂを線状支持体の太さ（直径または幅）Ｇの１１０−１３０％に設定し、左右フック部分の垂下長さＥを線状支持体の太さＧの１５０−２００％に設定することが好ましい。
【発明の効果】
【００１０】
左右フック部分が線状支持体の長手方向にそって互いに逆向きに湾曲しているので、左右フック部分を線状支持体に掛止した後は、ハンガが横揺れすることはあっても、ハンガは線状支持体から簡単には外れない。ハンガに物品を懸架していないかまたは懸架しているいずれの状態でも、ハンガを線状支持体上で自由にスライドさせることができる。さらに、無負荷状態ハンガを線状支持体に簡単に着脱できる。
【発明を実施するための最良の形態】
【００１１】
本発明にもとづくハンガの実施例について、図面を参照して説明する。図１−図３に示すように、本発明にもとづくハンガ１は、単一シート状素材（例えば、金属シート、プラスチックシート、合板シート等）のハンガ本体１０からなる。ハンガ本体１０の中央部に所定の横幅Ｃおよび深さＤの中央溝１１が設けられる。中央溝１１の両側でハンガ本体１０の上部に相互に逆向きに湾曲した左右フック部分１２、１３が設けられる。ハンガ本体１０の下部に複数の装着穴１４（図示例では５箇）が設けられる。
【００１２】
各左右フック部分１２、１３は、図１に最もよく示すように、ハンガ本体１０の平面に関して表面および裏面において互いに逆向きにそれぞれ湾曲しているが、各左右フック部分１２、１３は長手方向に関して同一直線状に配置される。
【００１３】
例えば、図４に示すように、ハンガ１の左右フック部分１２、１３が線状支持体２（例えば、紐、ロープ、ワイヤ、チェーン、棒等）に滑動自在に掛止し、複数の装着穴１４に物品４（例えば、家庭用品（炊事器具、洗濯物、カーテン等）、照明器具、工具、看板等）が連結部材５（例えば、紐、ロープ、ワイヤ、チェーン等）をかいして懸架される。
【００１４】
中央溝１１の深さＤを線状支持体２の太さ（直径または幅）Ｇの２００−３００％に、中央溝１１の横幅Ｃを線状支持体２の太さ（直径または幅）Ｇの１４０−２００％に設定することが好ましい。中央溝１１の深さＤが２００％未満ではハンガ１を線状支持体２に取り付ける作業がし難くなり、３００％を超えるとハンガ１の強度が低下し、懸架状態が不安定になる。中央溝１１の横幅Ｃが１４０％未満ではハンガ１を線状支持体２に取り付ける作業がし難くなり、２００％を超えるとハンガ１の強度が低下し、懸架状態が不安定になる。
【００１５】
左右フック部分１２、１３の各横幅Ｆを中央溝１１の横幅Ｃの１５０−２５０％に設定することが好ましい。横幅Ｆが１５０％未満ではハンガ１の懸架強度が得られず、２５０％を超えると線状支持体２に取り付ける作業がし難くなる。
【００１６】
左右フック部分１２、１３の開口間隔Ｂを線状支持体２の太さ（直径または幅）Ｇの１１０−１３０％に設定することが好ましい。開口間隔Ｂが１１０％未満ではハンガ１を線状支持体２に取り付ける作業がし難くなり、１３０％を超えるとハンガ１が線状支持体２から滑落する可能性がある。
【００１７】
左右フック部分１２、１３の垂下長さＥを線状支持体２の太さ（直径または幅）Ｇの１５０−２００％に設定することが好ましい。垂下長さＥが１５０％未満ではハンガ１が線状支持体２から滑落する可能性があり、２００％を超えるとハンガ１を線状支持体２に取り付ける作業がし難くなる。
【００１８】
次に、図４および図５を参照して、本発明にもとづくハンガ１の使用例を説明する。まず、ハンガ本体１０の長手方向を線状支持体２の長手方向に対して直交する方向に向け、中央溝１１内に線状支持体２を挿入し、線状支持体２が中央溝１１の底付近に達したときにハンガ本体１０を約９０度回転し、ハンガ本体１０を引き下げ、ハンガ１を線状支持体２に掛止する。ハンガ本体１０の装着穴１４に取り付けた連結部材５をかいして、物品４をハンガ１に懸架する。
【００１９】
ハンガ１を線状支持体２から取り外すときは、上述した手順を逆に行えばよい。
物品４が軽量または小型の場合には、図４に示すように、１箇のハンガ１を使用するだけで十分であるが、物品４が重量または大型の場合には、図５に示すように、複数箇のハンガ１を使用することもできる。
【００２０】
いずれの場合でも、ハンガ１に物品４を懸架した後、ハンガ１を線状支持体２上で任意の位置まで滑動できる。
【実施例１】
【００２１】
照明用ライトのアームに本発明のハンガ１を取り付け、ライトに付属しているスタンド等に差し込むダボをハンガ本体１０の中央溝１１に挿入した。これにより、ハンガ１がアーム上を左右にずれることもなく、照明用ライトを安定して保持することができた。照明用ライトの種類にかかわらず、ハンガ１を利用することができる。
【実施例２】
【００２２】
ハンガ１で照明用ライトを保持すると共に、別のハンガ１を別の線状支持体２に取り付け、空間演出用の光源拡散または着色するためのフレームをそのハンガ１に懸架した。ハンガ１の位置を光源に対して調節することによって、優れた光源拡散効果が得られた。
【産業上の利用可能性】
【００２３】
本発明のハンガは、一般家庭のみならず、工場、展示場、病院、劇場、撮影場等にも広く利用することができる。
【図面の簡単な説明】
【００２４】
【図１】本発明にもとづくハンガの一実施例の斜視図である。
【図２】本発明にもとづくハンガの一実施例の正面図である。
【図３】図２の３−３線からみた断面図である。
【図４】本発明にもとづくハンガの一使用例を示す正面図である。
【図５】本発明にもとづくハンガの別の使用例を示す正面図である。
【符号の説明】
【００２５】
１：ハンガ                        ２：線状支持体
４：物品                          ５：連結部材
１０：ハンガ本体                  １１：中央溝
１２、１３：左右フック部分        １４：装着穴
Ｂ：開口間隔                      Ｃ：中央溝の横幅
Ｄ：中央溝の深さ                  Ｅ：左右フック部分の垂下長さ
Ｆ：左右フック部分の横幅          Ｇ：線状支持体の太さ（直径または幅）
【図１】
2005334198.tif 000003
【図２】
2005334198.tif 000004
【図３】
2005334198.tif 000005
【図４】
2005334198.tif 000006
【図５】
2005334198.tif 000007